(57)【特許請求の範囲】
【請求項１】
光線によって原稿を照射し、原稿からの反射光を受光する受光素子が、その反射光量に対応する信号を各色毎に出力することにより前記原稿上の画像をカラーで読み取る読取手段と、
前記原稿の搬送量が周期的に変動する搬送量変動周期毎に、前記読取手段の読取位置に対し原稿を相対的に搬送する原稿搬送手段と、を備える読取装置において、
前記読取手段は、
前記受光素子が赤色のデータを示す信号を出力するための原稿からの反射光を受光する赤色受光期間と、
前記赤色受光期間と同一長さの期間であって、前記受光素子が緑色のデータを示す信号を出力するための原稿からの反射光を受光する緑色受光期間と、
前記赤色受光期間、緑色受光期間と同一長さの期間であって、前記受光素子が青色のデータを示す信号を出力するための原稿からの反射光を受光する青色受光期間と、からなり、前記原稿搬送手段の搬送変動周期と略同一の長さの総受光期間を有し、
前記総受光期間内における前記赤色受光期間、緑色受光期間、青色受光期間の順番は、青色受光期間における原稿の搬送量が前記赤色受光期間における原稿の搬送量及び前記緑色受光期間における原稿の搬送量より大きくなるように、前記総受光期間の２番目以外に設定されていることを特徴とする読取装置。
【請求項２】
請求項１に記載の読取装置において、
前記受光素子が出力する信号を色データにした後に、補色データに変換して記録部に出力し、記録部が記録動作を実行するように制御する制御手段を備えたことを特徴とする読取装置。
【発明の詳細な説明】
【０００１】
【発明の属する技術分野】
本発明は、原稿上の画像をカラーで読み取る読取装置に関し、特に、原稿に対して赤色、緑色、青色の光線を照射し、原稿からの反射光を受光する受光素子がその反射光量に対応する信号を色毎にそれぞれ出力することにより、前記原稿上の画像をカラーで読み取る読取装置に関するものである。
【０００２】
【従来の技術】
カラー読取装置は、一般に赤色光線、青色光線、緑色光線をそれぞれ発光する光源が順次原稿を照射し、原稿からの反射光を受光する受光素子が、その反射光量に対応する信号を各色毎に出力することにより、原稿上の画像をカラーで読み取ることができる。
この場合、原稿上の赤色、青色、緑色の画像以外に、赤色、青色、緑色の３原色を組み合わせたシアン、マゼンタ、イエロ、黒等の画像も読み取られる。すなわち、読取装置が、原稿上の同一箇所に赤色及び緑色のデータがあると判別した場合は、実際には、赤色及び緑色を混色したイエロの画像と読み取られる。同様に、原稿上の同一箇所に赤色及び青色のデータがあると判別された場合、その箇所は、赤色及び青色を混色したマゼンタの画像と読み取られ、更に、原稿上の同一箇所に青色及び緑色のデータがあると判別された場合、その箇所は、青色及び緑色を混色したシアンの画像と読み取られる。そして、原稿上の同一箇所に赤色、青色、緑色のデータがないと判別された場合は、その箇所は白色の画像と読み取られ、原稿上の同一箇所に赤色、青色、緑色のデータのいずれもが存在すると判別された場合は、その箇所は黒色の画像と読み取られる。
【０００３】
そして、読取装置によって読み取られたデータが、記録装置によって記録用紙上に出力される際には、光を吸収するインクを基盤とするＣＭＹＫモデルを使用するため、赤色、緑色、及び青色の光線に対応する色データが、シアン（Ｃ）、マゼンタ（Ｍ）、イエロ（Ｙ）の補色データにそれぞれ変換され、これら補色データに対応するシアン、マゼンタ、イエロのインクを用いて記録用紙に画像を形成する。すなわち、シアン、マゼンタ、イエロのインクを単色で使用すれば、記録用紙上にはそのインクの色の画像が形成され、シアン、マゼンタのインクを混合すると記録用紙上には、青色の画像が形成される。また、マゼンタ、イエロのインクを混合すると、記録用紙上には赤色の画像が形成され、シアン、イエロのインクを混合すると、記録用紙上には緑色の画像が形成され、シアン、マゼンタ、イエロのインクを混合すると、記録用紙上には黒色の画像が形成されることになる。このように読取装置によって原稿が読み取られる場合、原稿が静止した状態で読み取り動作が行われれば、色ズレは発生しない。
【０００４】
【発明が解決しようとする課題】
しかし、読取装置は、読み取り時間の短縮化及びコスト低減化等のために、読取装置内に設定された読取位置に、原稿を連続的に搬送しながら読み取りを行う。具体的には、原稿上の同一箇所に赤色光線、青色光線、緑色光線をその順番にそれぞれ時分割的に照射する場合、原稿が停止することなく連続的に搬送されるので、受光素子が赤色光線の反射光を受光した箇所と、青色光線の反射光を受光した箇所と、緑色光線の反射光を受光した箇所とでは、相互にわずかながら位置ズレが生じることなる。
その結果、原稿上に黒色の画像があって、赤色光線、青色光線、緑色光線をその順番に照射し、シアン、イエロ、マゼンタのインクを混合して記録用紙上に黒色の画像を形成する場合、シアン、イエロ、マゼンタのインクが混合して黒色となった部分の周囲に、シアンのインク及びマゼンタのインクが滲む現象が生じやすい。かかるシアン及びマゼンタの両方の色は、人間の目にとって認識しやすいため、シアン及びマゼンタのインクの滲みは、目障りとなって記録品質が良好でないとの印象を利用者に与える。
本発明は、前記した従来の問題点を解消するためになされたものであり、例えば、シアン、イエロ、マゼンタのインクを混合して黒色とする部分の周囲に、人間の目にとって認識しやすいシアン及びマゼンタの両方のインクが滲む現象を防止して、記録品質の低下を防止できる読取装置を提供することを目的とする。
【０００５】
【課題を解決するための手段及び発明の効果】
前記目的を達成するため請求項１に係る発明によれば、光線によって原稿を照射し、原稿からの反射光を受光する受光素子が、その反射光量に対応する信号を各色毎に出力することにより前記原稿上の画像をカラーで読み取る読取手段と、前記原稿の搬送量が周期的に変動する搬送量変動周期毎に、前記読取手段の読取位置に対し原稿を相対的に搬送する原稿搬送手段と、を備える読取装置において、前記読取手段は、前記受光素子が赤色のデータを示す信号を出力するための原稿からの反射光を受光する赤色受光期間と、前記赤色受光期間と同一長さの期間であって、前記受光素子が緑色のデータを示す信号を出力するための原稿からの反射光を受光する緑色受光期間と、前記赤色受光期間、緑色受光期間と同一長さの期間であって、前記受光素子が青色のデータを示す信号を出力するための原稿からの反射光を受光する青色受光期間と、からなり、前記原稿搬送手段の搬送変動周期と略同一の長さの総受光期間を有し、前記総受光期間内における前記赤色受光期間、緑色受光期間、青色受光期間の順番は、青色受光期間における原稿の搬送量が前記赤色受光期間における原稿の搬送量及び前記緑色受光期間における原稿の搬送量より大きくなるように、前記総受光期間の２番目以外に設定されていることを特徴とする。
【０００６】
それにより、補色データに対応した記録を行う場合に、原稿の前記移動が一画素の読取途中において低速度から高速度になる場合、青色光線の照射領域が大きくなって、イエロのデータを記録する領域が大きくなる。その結果、シアン、イエロ、マゼンタのインクを混合して黒色となった部分の周囲に、イエロのインクが滲む領域が大きくなる。
一般に、シアン及びマゼンタの色と異なって、イエロの色は人間の目にとって認識しにくい色であるので、シアン、イエロ、マゼンタのインクを混合した黒色部分の周囲にシアン及びマゼンタの両方のインクが滲む場合、目障りとなりやすいのに対し、黒色部分の周囲にイエロのインクが滲んでも目障りとなりにくい。そのため、黒色部分の周囲にシアン及びマゼンタの両方のインクが滲む現象に比べて、黒色部分の周囲にイエロ及びマゼンタの両方のインクが滲む現象、または、黒色部分の周囲にシアン及びイエロの両方のインクが滲む現象の場合、目障りとなりにくい。
従って、シアン、イエロ、マゼンタのインクを混合して黒色となった部分の周囲に、イエロのインクが滲む領域が大きくなった場合であっても、イエロのインクは目障りとなりにくいので、記録品質の低下を防止できる。
この点、原稿の移動が、一ラインの読取途中において高速度から低速度になる場合、一ラインに対する照射順番中、青色光線が１番目に設定され、同様に記録品質の低下を防止することができる。
【０００７】
従って、この読取装置によって読み取られたデータの補色データを記録する場合、黒色部分の周囲にシアン及びマゼンタのインクの両方のインクが滲む現象は生じにくいので、記録品質が良好でないとの印象を与えることはない。
もっとも、この発明は、読取装置によって読み取られたデータの補色データを記録に使用する場合に限らず、例えば、表示装置等に用いることも可能である。
【０００８】
また、請求項２に係る発明によれば、請求項１に記載の読取装置において、前記受光素子が出力する信号を色データにした後に、補色データに変換して記録部に出力し、記録部が記録動作を実行するように制御する制御手段を備えたことを特徴とする。それにより、受光素子が出力する信号は、色データになった後に補色データに変換されるので、この補色データは記録部に出力されて、記録部によって記録される。
従って、赤色光線、緑色光線、青色光線を照射する順番において、青色光線は、青色受光期間における原稿の搬送量が前記赤色受光期間における原稿の搬送量及び前記緑色受光期間における原稿の搬送量より大きくなる順番で照射される。即ち、この場合、最も原稿の搬送量が大きい青色受光期間において、既述した如く、青色のデータと補色の関係にあるイエロのデータを記録することになる。その結果、シアン、イエロ、マゼンタのインクを混合して黒色となった部分の周囲に、シアンのインク及びイエロのインクが滲む現象、または、マゼンタのインク及びイエロのインクが滲む現象が生じるが、黒色部分の周囲にシアンのインク及びマゼンタの両方のインクが滲む現象が生じないので、目障りとなりにくい。
【０００９】
尚、上記の読取装置は、搬送される原稿上の画像情報を読み取り、その読み取った画像情報を記録紙にコピーさせるコピー機能の他に、ファクシミリ送受信機能、プリンタ機能、読取専用機能、電話機能その他の機能を有している多機能装置に用いられるのが好適である。
【００１０】
【発明の実施の形態】
以下、本発明に係る読取装置を具体化した実施の形態について図面を参照しつつ詳細に説明する。先ず、本実施形態に係る多機能装置１の概略構成について図１に基づき説明する。尚、この多機能装置１は、例えば、ファクシミリ送受信機能、プリンタ機能、読取専用機能、電話機能その他の機能を有している他に、搬送される原稿上の画像情報を読み取り、その読み取った画像情報を記録紙にコピーさせるコピー機能を有している。
【００１１】
図１において、多機能装置１は装置本体２を備えており、かかる装置本体２の上面前方側には、各種のボタンを配列した操作パネル３が配設され、また、読み取り用の原稿をセットするための原稿載置部４が中央部に配設されている。更に、装置本体２の上面後方側には、記録紙を積層状態で収納する用紙カセット（図示せず）を挿嵌するための、カセット挿嵌部５が配設されている。
ここに、操作パネル３には、その上側に液晶（ＬＣＤ）ディスプレイ６が配置されており、この液晶ディスプレイ６は、各種のメッセージ、例えば、ファクシミリ機能の実行時における電話番号を表示する他に、コピー動作、読取動作、プリンタ動作等の実行時における操作指令メッセージ、その他必要に応じたメッセージを表示する。
【００１２】
また、その液晶ディスプレイ６の下側（図１中、左側）には、「０」乃至「９」の数値ボタン７等が配置されており、これら数値ボタン７は、ファクシミリ機能時に電話番号を入力したり、コピー機能実行におけるコピー枚数等を入力するために使用される。また、操作パネル３内の右下方側には、実行ボタン８等が配置されており、この実行ボタン８は、コピー機能実行開始時または記録動作開始時に押下される。
【００１３】
その実行ボタン８を押下してコピー動作が実行される場合、後述する画像読取部２１（図２、図３参照）を介して読み取られた画像データは、記録部としてのインクジェットプリンタ部３７（図２、図３参照）を介して、カセット挿嵌部５内に挿嵌された用紙カセットから送給される記録紙上に記録されるので、記録紙は装置本体２下側に設けられた記録紙排出部１０上に排出される。
【００１４】
また、装置本体２の前方上側には、原稿排出部９が設けられており、原稿載置部４から原稿排出部９に向かって搬送される原稿は、図２に示されるように、多機能装置１の装置本体２の内部通路、すなわち、操作パネル３の下側の案内通路１１を沿って搬送されるようになっている。この場合、操作パネル３の下方には、案内通路１１を沿って原稿分離用ローラ１２及びこの原稿分離用ローラ１２に対向当接する分離片１３が配設され、更に、この原稿分離用ローラ１２の搬送方向の下流側には、上下一対の案内ローラ１４が配設されている。また、その案内ローラ１４の搬送方向の下流側には、上下一対の案内ローラ１５が配設されている。
【００１５】
そのため、原稿載置部４に積層された原稿は、原稿分離用ローラ１２と分離片１３とによって一枚ずつ分離され、案内ローラ１４、１５によって、テンションが付与されながら下流側に向かって搬送される。このように搬送される原稿は、案内ローラ１４及び案内ローラ１５の間に設定された読取位置１６で画像読取部２１によって読み取られた後、装置本体２の前面側に設けられた原稿排出部９に排出される。
【００１６】
その画像読取部２１は、多機能装置１内部の読取位置１６の下方に配置されている。その具体的構造としては、読取位置１６の下方側に、原稿を照射するライト１７が原稿の幅方向（紙面手前側から紙面裏側の方向）に延設され、このライト１７は、赤色光線、青色光線、緑色光線を時分割的に発光可能である。また、この読取位置１６の真下の位置には、原稿からの反射光を受ける反射ミラー１８が配設され、この反射ミラー１８によって反射された光は、複数の反射ミラー１９ａ、１９ａ及び光学レンズ１９ｂ等を介して、受光素子としてのＣＣＤ装置１９に導びかれる。
このＣＣＤ装置１９は、電荷結合素子(ChargeCoupled Device) といわれる光電変換素子を備えている。このＣＣＤ装置１９は、図示しない信号線を介して伝達されるクロック信号に同期して、蓄積された電荷を別の信号線（図示せず）を介して転送し、その転送された電荷は、後述するＣＰＵ２６の制御の下に、画像データとして処理される。すなわち、ライト１７によって赤色光線、青色光線、緑色光線が、時分割的に照射された場合、ＣＣＤ装置１９は、原稿幅分の反射光を受光して、その光量に対応する信号を各色毎に出力し、その出力信号は、各色毎の画像判別用の閾値信号と比較されることにより、その比較された出力信号を受けるＣＰＵ２６は、原稿上に何色の画像があるか否かを認識できる。
【００１７】
また、前記読取位置１６の近傍には、原稿を検出するための原稿センサ２９が配置されている。この原稿センサ２９は、例えば、原稿の先端もしくは後端により回動されるフォトインタラプタとフォトカップラとから構成され、フォトインタラプタによる遮光または透光を、フォトカップラが検出することにより、原稿の存在を検出できる。
【００１８】
また、装置本体２内部の画像読取部２１の後方には、プリンタ部３０が配設されており、このプリンタ部３０は、用紙カセットから搬送された記録紙に画像データを記録するインクジェットプリンタ部３７を備えている。記録部としてのインクジェットプリンタ部３７は、シアン（Ｃ）、マゼンタ（Ｍ）、イエロ（Ｙ）のインクを吐出する吐出部（図示せず）を備えており、この吐出部が画像データに従って、各色のインクを記録紙上に吐出することにより、記録紙に画像を記録する。
【００１９】
この場合、プリンタ部３０は、いわゆるシリアル印字タイプ方式であるため、画像データをシリアル方式で記録紙に記録する。すなわち、インクジェットプリンタ部３７は、装置本体２内を左右方向に移動しながら、記録紙上に一ライン分画像データを記録し、一ラインの画像データの記録が完了すると、次の一ラインだけ記録紙が下流方向に搬送され、再びその一ラインの画像データを記録するように構成されている。
そして、装置本体２内部の搬送路４７に沿って、用紙カセットから送給される記録紙は、一対の案内ローラ４５及びその案内ローラ４５の下流側に位置する一対の案内ローラ４６により、下流側の記録紙排出部１０に向かって搬送される。この場合、記録紙は、その先端が案内ローラ４５によって揃えられた後に、案内ローラ４５、４６間でテンションが付与されながら、案内ローラ４５、４６間に設定された記録位置４８に搬送されて記録されるので、記録紙には、鮮明な画像が形成される。
【００２０】
また、前記インクジェットプリンタ部３７による記録位置４８の近傍には、記録紙を検出する記録紙センサ３８が配置されている。この記録紙センサ３８は、例えば、記録紙の先端もしくは後端により回動されるフォトインタラプタとフォトカップラとから構成され、フォトインタラプタによる遮光または透光をフォトカップラが検出することにより、記録紙の存在を判別できる。
【００２１】
次に、前記多機能装置１の制御系について、図３に基づき説明する。図３は多機能装置１の制御系を示すブロック図である。図３において、多機能装置１は、基本的に、ファクシミリ部２０とプリンタ部３０とから構成されている。このファクシミリ部２０とプリンタ部３０との間は、インターフェース３９により相互に信号やデータの伝送が可能となっている。
【００２２】
ファクシミリ部２０は、ファクシミリ機能を実現するために構成されており、ファクシミリ制御回路２３、読取部としての画像読取部２１、モデム２２、ＮＣＵ（網制御装置）２４、復号器符号器２５、ＣＰＵ２６、ＲＯＭ２７、ＲＡＭ２８等からなる。ここに、ＣＰＵ２６によって制御されるファクシミリ制御回路２３は、ファクシミリ機能を実現するために、画像読取部２１等の制御を行う。モデム２２は、ＮＣＵ２４や電話回線Ｌ等によるネットワークを介して相手方のファクシミリ装置Ａ１との間で画像データの送受信を行う。ＮＣＵ２４は、電話網に対してダイアル信号を送出したり、或いは、電話網からの呼出信号に応答する等の動作を行う。また、復号器符号器２５は、画像読取部２１によって読み取られた画像データを、相手ファクシミリ装置Ａ１へ送信するために符号化したり、相手方のファクシミリ装置Ａ１から送られた符号化された受信データを記録するために復号化したりする。
【００２３】
ＣＰＵ２６は、ＲＯＭ２７に格納されているプログラムに従ってコピー機能、その他のファクシミリ装置の各種機能を達成するにつき必要な各種のプログラム等を実行し、ファクシミリ部２０全体の制御を行う。ＲＯＭ２７は、その他ファクシミリ部２０の制御上必要な各種のプログラム等を格納するメモリである。また、ＲＡＭ２８は、相手方のファクシミリ装置Ａ１から送られた受信データ、画像読取部２１によって読み取られた画像データ及びＣＰＵ２６を介して演算された各種データ等を一時的に記憶するメモリである。従って、画像読取部２１が読み取った画像データが記憶部に記憶させる態様の場合、その画像データはＲＡＭ２８に記憶される。尚、ファクシミリ制御回路２３は、前記操作パネル３、原稿センサ２９の他に、前記案内ローラ１４、１５を回動させる原稿搬送手段としてのローラ回動部Ｒ１にも接続されている。前記ローラ回動部Ｒ１は、例えば、駆動モータ、駆動ギヤ、ベルト（図示せず）等からなる。
【００２４】
また、プリンタ部３０は、ビデオプリンタ機能を含むプリンタ機能を実現するために構成されており、プリンタ制御回路３１、文字発生回路（ＣＧ）３２、入出力回路（Ｉ／Ｏ）３３、ＣＰＵ３４、ＲＯＭ３５、ＲＡＭ３６、インクジェットプリンタ部３７等からなる。尚、ファクシミリ受信機能、コピー機能は、ファクシミリ部２０とプリンタ部３０との協働によって実現される。ここに、プリンタ制御回路３１は、プリンタ機能を実現するためにインクジェットプリンタ部３７等を制御する。
【００２５】
文字発生（ＣＧ）回路３２は、パーソナルコンピュータ４０から送られてきたデータの内容を記録するための文字データに変換する。例えば、そのデータに含まれる文字コードが、例えば、「あ」である場合には、その「あ」の画像が記録紙に形成されるように、文字コードをビットイメージデータに変換する。入出力（Ｉ／Ｏ）回路３３は、ケーブル４１を介してパーソナルコンピュータ４０との間でデータの送受信を行う。ＣＰＵ３４は、ＲＯＭ３５に格納されているプリンタ制御プログラムに従ってプリンタ部３０を制御し、その制御時に演算された各種データはＲＡＭ３６に一時的に記憶される。インクジェットプリンタ部３７は、プリンタ制御回路３１から画像データが出力されることにより、前記吐出部から選択的にインク滴を吐出できる。
【００２６】
また、プリンタ制御回路３１は、前記案内ローラ４５、４６を回動させるローラ回動部Ｒ２の他に、前記記録紙センサ３８に接続されている。そして、前記ローラ回動部Ｒ２は、例えば、駆動モータ、駆動ギヤ、ベルト（図示せず）等からなり、記録紙の搬送手段を構成する。
【００２７】
続いて、前記のように構成された多機能装置１において、原稿上の画像をカラーで読み取る場合について説明する。ここで、図４は原稿上の画像に対して赤色、青色、緑色光線を照射した場合に、その照射状態を示す。
前記ライト１７は、前記読取位置１６に連続的に搬送される原稿に向かって赤色光線（Ｒ）、緑色光線（Ｇ）、青色光線（Ｂ）を、図４に示す時間Ｔ１、Ｔ２、Ｔ３、・・の順に時分割的に照射する。具体的には、図４において、原稿の幅方向の１ラインの読取の際に、時間Ｔ１だけ赤色光線（Ｒ）を照射し、時間Ｔ２だけ緑色光線（Ｇ）を照射し、時間Ｔ３だけ青色光線（Ｂ）を照射するが、その間原稿は連続的に移動する。
その後、原稿の次のラインの読取を行うため、ライト１７は、読取位置１６に連続的に搬送される原稿に向かって時間Ｔ４だけ赤色光線（Ｒ）を照射し、同様に時間Ｔ５だけ緑色光線（Ｇ）を照射し、時間Ｔ６だけ青色光線（Ｂ）を照射するが、その間原稿は連続的に移動する。尚、この場合、時間Ｔ１〜Ｔ６は、それぞれ同一の時間に設定されている。すなわち、照射時間は、どの光線でも一定である。
【００２８】
この場合、読取位置１６に原稿を一定速度で搬送しながら、ライト１７が各色の光線を発光するが、時間Ｔ１，時間Ｔ４だけ赤色光線を発光した場合、赤色光線は、原稿の位置Ｓ１及びＳ２間、及び、位置Ｓ７及びＳ８間で挟まれるエリアを照射する。同様に、時間Ｔ２，時間Ｔ５だけ緑色光線を発光した場合、緑色光線は、原稿の位置Ｓ３及びＳ４間、及び、位置Ｓ９及びＳ１０間で挟まれるエリアを照射し、また、時間Ｔ３，時間Ｔ６だけ青色光線を発光した場合、青色光線は、原稿の位置Ｓ５及びＳ６間、及び、位置Ｓ１１及びＳ１２間で挟まれるエリアを照射する。そのため、赤色光線を受光したエリア（位置Ｓ１及びＳ２間、及び、位置Ｓ７及びＳ８間）と、緑色光線を受光したエリア（位置Ｓ３及びＳ４間、及び、位置Ｓ９及びＳ１０間）と、青色光線を受光したエリア（位置Ｓ５及びＳ６間、及び、位置Ｓ１１及びＳ１２間）とは、相互にわずかながら位置ズレが生じることなる。
【００２９】
原稿からの反射光を受けるＣＣＤ装置１９は、既述した如く、その反射光量に対応する信号を各色毎に出力する。この場合、原稿の前記位置Ｓ１及びＳ１２間の内の位置Ｓ１及びＳ２間、または、位置Ｓ７及びＳ８間で挟まれるエリアに赤色の画像があって、赤色光線がその赤色の画像を時間Ｔ１，時間Ｔ４だけ照射した場合、ＣＣＤ装置１９は、ハイレベルの信号を出力するが、緑色光線（時間Ｔ２または時間Ｔ５）または青色光線（時間Ｔ３または時間Ｔ６）がその赤色の画像を照射した場合、ＣＣＤ装置１９は、いずれもローレベルの信号を出力する。そして、ＣＣＤ装置１９の出力信号は、前記閾値信号と比較されることにより、その比較された出力信号を受けるＣＰＵ２６は、原稿の位置Ｓ１及びＳ１２間の内の位置Ｓ１及びＳ２間、位置Ｓ７及びＳ８間で挟まれるエリアに赤色の画像のみがあることを認識する。
【００３０】
また、原稿の位置Ｓ１及びＳ１２間の内の位置Ｓ３及びＳ４間、位置Ｓ９及びＳ１０間で挟まれるエリアに原稿に緑色の画像があって、緑色光線がその緑色の画像を時間Ｔ２，時間Ｔ５だけ照射した場合、ＣＣＤ装置１９は、ハイレベルの信号を出力するが、赤色光線（時間Ｔ１，時間Ｔ４）または青色光線（時間Ｔ３，時間Ｔ６）がその緑色の画像を照射した場合、ＣＣＤ装置１９は、いずれもローレベルの信号を出力する。そして、ＣＣＤ装置１９の出力信号は前記閾値信号と比較されることにより、その比較された出力信号を受けるＣＰＵ２６は、原稿の位置Ｓ１及びＳ１２間の内の位置Ｓ３及びＳ４間、位置Ｓ９及びＳ１０間で挟まれるエリアに緑色の画像のみがあることを認識する。
【００３１】
また、原稿の位置Ｓ５及びＳ６間、位置Ｓ１１及びＳ１２間で挟まれるエリアに青色の画像があって、青色光線がその青色の画像を時間Ｔ３，時間Ｔ６だけ照射した場合、ＣＣＤ装置１９は、ハイレベルの信号を出力するが、緑色光線（時間Ｔ２，時間Ｔ５）または赤色光線（時間Ｔ１，時間Ｔ４）がその青色の画像を照射した場合、ＣＣＤ装置１９は、いずれもローレベルの信号を出力する。この場合、ＣＣＤ装置１９の出力信号は、前記閾値信号と比較されることにより、その比較された出力信号を受けるＣＰＵ２６は、原稿の位置Ｓ５及びＳ６間、位置Ｓ１１及びＳ１２間で挟まれるエリアに青色の画像のみがあることを認識する。
【００３２】
次に、原稿の位置Ｓ１及びＳ１２間の内の位置Ｓ３及びＳ６間、位置Ｓ９及びＳ１２間で挟まれるエリアにシアンの画像があって、緑色光線（時間Ｔ２，時間Ｔ５）または青色光線（時間Ｔ３，時間Ｔ６）がそのシアンの画像を照射した場合、ＣＣＤ装置１９は、いずれもハイレベルの信号を出力するが、赤色光線（時間Ｔ１，時間Ｔ４）がそのシアンの画像を照射した場合、ＣＣＤ装置１９は、ローレベルの信号を出力する。この場合、ＣＣＤ装置１９の出力信号は、前記閾値信号と比較されることにより、その比較された出力信号を受けるＣＰＵ２６は、青色、緑色のデータがあると判別し、原稿の位置Ｓ１及びＳ１２間の内の位置Ｓ３及びＳ６間、位置Ｓ９及びＳ１２間で挟まれるエリアにシアンの画像があることを認識する。
【００３３】
また、原稿の位置Ｓ１及びＳ１２間の内の位置Ｓ１及びＳ４間、位置Ｓ７及びＳ１０間で挟まれるエリアにイエロの画像があって、緑色光線（時間Ｔ２，時間Ｔ５）または赤色光線（時間Ｔ１，時間Ｔ４）がそのイエロの画像を照射した場合、ＣＣＤ装置１９は、いずれもハイレベルの信号を出力するが、青色光線（時間Ｔ３，時間Ｔ６）がそのイエロの画像を照射した場合、ＣＣＤ装置１９は、ローレベルの信号を出力する。この場合、ＣＣＤ装置１９の出力信号は、前記閾値信号と比較されることにより、その比較された出力信号を受けるＣＰＵ２６は、赤色、緑色のデータがあると判別し、原稿の位置Ｓ１及びＳ１２間の内の位置Ｓ１及びＳ４間、位置Ｓ７及びＳ１０間で挟まれるエリアにイエロの画像があることを認識する。
【００３４】
また、原稿の位置Ｓ１及びＳ６間、位置Ｓ７及びＳ１２間で挟まれるエリアにマゼンタの画像があって、赤色光線（時間Ｔ１，時間Ｔ４）または青色光線（時間Ｔ３，時間Ｔ６）がそのマゼンタの画像を照射した場合、ＣＣＤ装置１９は、いずれもハイレベルの信号を出力するが、緑色光線（時間Ｔ２，時間Ｔ５）がそのマゼンタの画像を照射した場合、ＣＣＤ装置１９は、ローレベルの信号を出力する。この場合、ＣＣＤ装置１９の出力信号は、前記閾値信号と比較されることにより、その比較された出力信号を受けるＣＰＵ２６は、赤色、青色のデータがあると判別し、原稿の位置Ｓ１及びＳ６間、位置Ｓ７及びＳ１２間で挟まれるエリアにマゼンタの画像があることを認識する。
【００３５】
更に、原稿の位置Ｓ１及びＳ６間、位置Ｓ７及びＳ１２間で挟まれるエリアに黒色の画像があって、赤色光線（時間Ｔ１，時間Ｔ４）、緑色光線（時間Ｔ２，時間Ｔ５）、または青色光線（時間Ｔ３，時間Ｔ６）がその黒色の画像を照射した場合、ＣＣＤ装置１９は、いずれもローレベルの信号を出力する。この場合、ＣＣＤ装置１９の出力信号は、前記閾値信号と比較されることにより、その比較された出力信号を受けるＣＰＵ２６は、赤色、緑色、青色のデータがあると判別し、原稿の位置Ｓ１及びＳ６間、位置Ｓ７及びＳ１２間で挟まれるエリアに黒色の画像があることを認識する。
【００３６】
また、原稿の位置Ｓ１及びＳ６間、位置Ｓ７及びＳ１２間で挟まれるエリアに白色の画像があって、赤色光線（時間Ｔ１，時間Ｔ４）、緑色光線（時間Ｔ２，時間Ｔ５）、または青色光線（時間Ｔ３，時間Ｔ６）がその白色の画像を照射した場合、ＣＣＤ装置１９は、いずれもハイレベルの信号を出力する。この場合、ＣＣＤ装置１９の出力信号は、前記閾値信号と比較されることにより、その比較された出力信号を受けるＣＰＵ２６は、赤色、緑色、青色のデータがないと判別し、原稿の位置Ｓ１及びＳ６間、位置Ｓ７及びＳ１２間で挟まれるエリアに白色の画像があることを認識する。
【００３７】
次に、ＣＰＵ２６は、赤色、緑色及び青色の色データをＲＡＭ２８に記憶した後に、シアン、マゼンタ及びイエロの補色データにそれぞれ変換し、再びＲＡＭ２８に記憶させる。すなわち、シアン、マゼンタ及びイエロのデータがある場合、単にその色のデータがあるものとすればよいが、赤色データがある場合、マゼンタ及びイエロの両データがあるものとし、青色データがある場合、マゼンタ及びシアンの両データがあるものとし、緑色のデータがある場合、シアン及びイエロの両データがあるものとし、黒色のデータがある場合、シアン、マゼンタ及びイエロの総てのデータがあるものとする。その後、ＣＰＵ２６はその補色データをＣＰＵ３４に出力し、ＣＰＵ３４がその補色データをＲＡＭ３６に記憶させる。
【００３８】
そして、記録紙面上にカラー画像を形成する際に、既述した如く、ＣＰＵ３４は、インクジェットプリンタ部３７にシアン、マゼンタ及びイエロの補色データを出力し、インクジェットプリンタ部３７が、補色データに対応するシアン、マゼンタ及びイエロのインクを吐出して混色することにより、記録紙上に各色の画像を形成する。すなわち、シアン、マゼンタ、イエロのインクを単色で使用すれば、記録用紙上にはそのインクの色の画像が形成されるが、シアン及びマゼンタの両インクを混合すると記録用紙上には、青色の画像が形成され、マゼンタ及びイエロの両インクを混色すると、記録用紙上には赤色の画像が形成され、シアン及びイエロの両インクを混色すると、記録用紙上には緑色の画像が形成され、シアン、マゼンタ、イエロの総てのインクを混色すると、記録用紙上には黒色の画像が形成されることになる。
【００３９】
この場合、例えば、原稿の位置Ｓ１及びＳ６間、位置Ｓ７及びＳ１２間で挟まれるエリアに黒色の画像があると仮定すると、既述した如く、ＣＣＤ装置１９がローレベルの信号を出力し、ＣＰＵ２６は赤色、緑色、青色の総てのデータがあると判別するので、ＣＰＵ２６は原稿の位置Ｓ１及びＳ６間、位置Ｓ７及びＳ１２間で挟まれるエリアに黒色の画像があることを認識し、ＣＰＵ３４から補色データを受信したインクジェットプリンタ部３７は、シアン、マゼンタ及びイエロのインクを記録紙上の同一箇所に吐出して混色し、記録紙上に黒色の画像を形成する。
【００４０】
その際、既述した如く、赤色光線を受光したエリア（位置Ｓ１及びＳ２間、及び、位置Ｓ７及びＳ８間）と、緑色光線を受光したエリア（位置Ｓ３及びＳ４間、及び、位置Ｓ９及びＳ１０間）と、青色光線を受光したエリア（位置Ｓ５及びＳ６間、及び、位置Ｓ１１及びＳ１２間）とは、相互にわずかながら位置ズレが生じているので、赤色、緑色及び青色のデータも相互にわずかながら位置ズレが生じる。その結果、赤色、緑色及び青色のデータと補色関係にあるシアン、マゼンタ及びイエロのデータも相互にわずかながら位置ズレが生じることになる。
【００４１】
この実施の形態の場合、赤色光線、緑色光線、青色光線を原稿に照射する照射順番において、青色光線を２番目以外、すなわち、赤色・緑色・青色の順番の３番目に設定したため、ＣＣＤ装置１９がその反射光量に対応する信号をそれぞれ出力する場合、その出力信号を受けるＣＰＵ３４は、青色データと補色の関係にあるイエロのデータを２番目以外、すなわち、シアン・マゼンタ・イエロの順番の３番目にインクジェットプリンタ部３７に出力することになる。
【００４２】
それにより、シアン、マゼンタ及びイエロのインクを混合して黒色となった部分の周囲に、１番目に記録されたシアンのインク、及び、３番目に記録されたイエロのインクがわずかに滲む現象が生じるが、イエロの色は人間の目にとって認識しにくい色であるので、利用者にとっては、黒色となった部分の周囲にシアンの色がわずかに滲んだ印象を与えるにすぎない。
それに対し、シアン及びマゼンタの両方の色は、人間の目にとって認識しやすいため、黒色となった部分の周囲にシアン及びマゼンタのインクが滲んだ場合、目障りとなって記録品質が良好でないとの印象を利用者に与えるが、この発明においては、黒色となった部分の周囲にシアン及びマゼンタのインクが滲むことはない。それにより、この実施の形態の場合、記録品質が良好であるとの印象を利用者に与える。
【００４３】
以上詳述した如く、この実施の形態によれば、赤色光線、緑色光線、青色光線によって原稿をそれぞれ照射し、原稿からの反射光を受光するＣＣＤ装置１９（受光素子）が、その反射光量に対応する信号を各色毎に出力することにより、前記原稿上の画像をカラーで読み取る多機能装置１（読取装置）において、画像読取部２１の読取位置１６に対し原稿を相対的に移動させ、赤色光線、緑色光線、青色光線を照射する順番中、青色光線を２番目以外に設定したので、ＣＣＤ装置１９（受光素子）が前記反射光量に対応する信号をそれぞれ出力する場合、青色光線の照射によって発生した青色データと補色の関係にあるイエロのデータが２番目以外になり、赤色のデータと補色の関係にあるシアンのデータが、または、緑色のデータと補色の関係にあるマゼンタのデータが２番目になる。
その結果、照射する光線が、（１）緑色、赤色、青色の順番、（２）赤色、緑色、青色の順番のそれぞれに対応して、（３）青色、赤色、緑色の順番、（４）青色、緑色、赤色の順番に対応して、（1）  マゼンタ、シアン、イエロの順番、（2） シアン、マゼンタ、イエロの順番、（3） イエロ、シアン、マゼンタの順番、（4） イエロ、マゼンタ、シアンの順番の内のいずれかの順番で補色データが発生する。
【００４４】
そして、ＣＰＵ２６、ＣＰＵ３４（制御手段）が、ＣＣＤ装置１９（受光素子）が出力する信号を赤色、緑色、青色のデータ（色データ）にした後に、シアン、マゼンタ及びイエロのデータ（補色データ）に変換してインクジェットプリンタ部３７（記録部）に出力し、インクジェットプリンタ部３７（記録部）が記録動作を実行する場合、青色のデータと補色の関係にあるイエロのデータが記録順番において２番目以外になるので、例えば、シアン、イエロ、マゼンタのインクを混合して黒色となった部分の周囲に、１番目に記録されたマゼンタ（またはシアン）のインク、及び、３番目に記録されたイエロのインクが滲む現象が生じたり、または、１番目に記録されたイエロのインク及び３番目に記録されたマゼンタ（またはシアン）のインクが滲む現象が生じても、黒色部分の周囲にシアン及びマゼンタの両方のインクが滲む現象は生じない。
そのため、黒色部分の周囲にシアン及びマゼンタの両方のインクが滲む現象に比べて、黒色部分の周囲にイエロ及びマゼンタの両方のインクが滲む現象、または、シアン及びイエロの両方のインクが滲む現象の場合の方が、目障りとなりにくいので、記録品質が良好でないとの印象を与えることはない。
【００４５】
尚、本発明は前記実施の形態に限定されるものではなく、本発明の要旨を逸脱しない範囲内で種々の改良、変形が可能であることは勿論である。例えば、他の実施の形態としての記録部は、いわゆる電子写真方式の記録部で記録してもよい。また、前記実施の形態では、原稿上の画像をカラーで読み取る多機能装置であったが、読取専用装置であってもよい。また、受光素子は、ＣＣＤ装置以外であってもよい。更に、読取位置に静止した原稿に対して、画像を読み取る読取部が移動する方式であってもよい。また、その読取部が原稿の幅方向に移動するシリアル式読取方式であってもよい。
【００４６】
また、読取位置に対する原稿の移動は、必ずしも一定速度である必要はなく、例えば、一ライン（一画素）の読取途中において低速度から高速度になってもよい。具体的には、原稿は、図５に示されるように、時間の経過に従ってラインＬ１の如く搬送量が変動してもよい。すなわち、原稿は、時間Ｔ’１及び時間Ｔ’２、時間Ｔ’４及び時間Ｔ’５において搬送量が小（低速度）であるのに対して、時間Ｔ’３及び時間Ｔ’６において搬送量が大（高速度）となるように移動する。これは、時間の経過に従って原稿が一定量搬送されることを示す直線Ｌ２と対比することにより容易に分かる。
【００４７】
そして、図５に示されるラインＬ１のような搬送状態の原稿に対して、赤色、青色、緑色光線を照射した場合、原稿上の照射状態、及び、ＣＣＤ装置１９の出力状態は、図６に示されるようになる。
すなわち、読取位置１６に原稿を搬送した場合、ライト１７は各色の光線を発光し、図６に示される時間Ｔ’１または時間Ｔ’４だけ赤色光線を原稿に対して照射した場合、赤色光線は、原稿の位置Ｓ’１及びＳ’１２間の内の位置Ｓ’１及びＳ’２間、及び、位置Ｓ’７及びＳ’８間で挟まれるエリアを照射する。その結果、ＣＣＤ装置１９の出力状態は、出力Ｑ１（ＣＣＤ装置１９の出力状態を理解しやすいように幾何学的に表現したもの）、出力Ｑ４の如く示すことができる。
同様に、時間Ｔ’２または時間Ｔ’５だけ緑色光線を照射した場合、緑色光線は、原稿の位置Ｓ’１及びＳ’１２間の内の位置Ｓ’３及びＳ’４間、及び、位置Ｓ’９及びＳ’１０間で挟まれるエリアを照射するが、その場合、ＣＣＤ装置１９の出力状態は、出力Ｑ２、出力Ｑ５の如く示すことができる。
また、時間Ｔ’３または時間Ｔ’６だけ青色光線を照射した場合、青色光線は、原稿の位置Ｓ’１及びＳ’１２間の内の位置Ｓ’５及びＳ’６間、及び、位置Ｓ’１１及びＳ’１２間で挟まれるエリアを照射するが、ＣＣＤ装置１９の出力状態は、出力Ｑ３、出力Ｑ６の如く示すことができるが、青色光線の照射領域が長く延びていることがわかる。
【００４８】
このように赤色光線を受光したエリア（位置Ｓ’１及びＳ’２間、及び、位置Ｓ’７及びＳ’８間）と、緑色光線を受光したエリア（Ｓ’３及びＳ’４間、及び、位置Ｓ’９及びＳ’１０間）と、青色光線を受光したエリア（位置Ｓ’５及びＳ’６間、及び、位置Ｓ’１１及びＳ’１２間）とは、相互に位置ズレが生じることとなる。
この場合、図４の態様と比較すると、赤色光線を受光したエリア（位置Ｓ’１及びＳ’２間、及び、位置Ｓ’７及びＳ’８間）と、緑色光線を受光したエリア（Ｓ’３及びＳ’４間、及び、位置Ｓ’９及びＳ’１０間）との間の位置ズレが極めて小さいことがわかる。
そして、図６に示される出力Ｑ１と出力Ｑ２、及び、出力Ｑ４と出力Ｑ５とが大部分重なることから分かるように、図４の場合と比べると、赤色及び緑色のデータの位置ズレが極めて少なく、補色関係にあるシアン及びマゼンタのデータの位置ズレも同様に少ない。そのため、例えば、シアン、マゼンタ及びイエロのインクを混合して、記録紙上に黒色の画像を形成する場合にあっても、黒色となった部分の周囲に、１番目に記録されたシアンのインクがわずかに滲むにすぎない。
【００４９】
一方、緑色光線を受光したエリア（Ｓ’３及びＳ’４間、及び、位置Ｓ’９及びＳ’１０間）に対して、青色光線を受光したエリア（位置Ｓ’５及びＳ’６間、及び、位置Ｓ’１１及びＳ’１２間）は、図４の場合と比べると、大きく位置ズレしているので、出力Ｑ２及び出力Ｑ５に対して、出力Ｑ３及び出力Ｑ６が大きく位置ずれしていること分かる。
すなわち、緑色のデータに対して、青色のデータの位置ズレが大きいことから、補色関係にあるデータにおいても、マゼンタのデータに対して、イエロのデータの位置ズレが大きい。そのため、例えば、シアン、マゼンタ及びイエロのインクを混合して、記録紙上に黒色の画像を形成する場合にあっても、イエロのデータを記録する領域が大きくなる結果、黒色となった部分の周囲に、３番目に記録されたイエロのインクが大きく滲む現象が生じる。しかし、イエロの色は人間の目にとって認識しにくい色であるので、利用者にとっては、さほど気になることがなく、記録品質が良好であるとの印象を受ける。
【００５０】
従って、原稿の移動が、一ラインの読取途中において低速度から高速度になる場合、一ラインに対する照射順番中、青色光線を３番目に設定することにより、記録品質を良好にすることができる。この場合、原稿の移動を、一ラインの読取途中において低速度から高速度になるように搬送制御を行ってもよいし、搬送用の駆動モータの特性として低速度から高速度になってもよい。
尚、上述の記載により、原稿の移動が、一ラインの読取途中において高速度から低速度になる場合、一ラインに対する照射順番中、青色光線を１番目に設定してもよいことは明らかである。
【図面の簡単な説明】
【図１】  この発明に係る読取装置を具体化した多機能装置の斜視図である。
【図２】  その多機能装置の一部を概略的に示した拡大側面図である。
【図３】  その多機能装置の制御系を示すブロック図である。
【図４】  原稿上の画像に対して赤色、青色、緑色光線を照射した場合に、照射状態を示す図である。
【図５】  他の実施の形態における原稿の搬送状態を示す図である。
【図６】  図５の搬送状態の原稿の画像に対して、赤色、青色、緑色光線を照射した場合に、照射状態を示すとともに、受光素子の出力状態を示す図である。
【符号の説明】
１      多機能装置
２      装置本体
３      操作パネル
４      原稿載置部
６      液晶ディスプレイ
７      数値ボタン
８      実行ボタン
１１    案内通路
１６    読取位置
１７    ライト
１９    ＣＣＤ装置
２０    ファクシミリ部
２１    画像読取部
２３    ファクシミリ制御回路
２６    ＣＰＵ
２７    ＲＯＭ
２８    ＲＡＭ
２９    原稿センサ
３０    プリンタ部
３１    プリンタ制御回路
３４    ＣＰＵ
３５    ＲＯＭ
３６    ＲＡＭ
３７    インクジェットプリンタ部
４０    パーソナルコンピュータ
５０    原稿センサ
５１    第１センサ
５２    第２センサ
Ｒ      赤色光線
Ｇ      緑色光線
Ｂ      青色光線
【図１】
0003997601.tif 000002
【図２】
0003997601.tif 000003
【図３】
0003997601.tif 000004
【図４】
0003997601.tif 000005
【図５】
0003997601.tif 000006
【図６】
0003997601.tif 000007